(57)【要約】【課題】照明に要する消費電力を抑制し、被撮像者の感じる眩しさを低減することが可能な、新規かつ改良された虹彩撮像装置を提供すること。【解決手段】本発明の虹彩撮像装置１０は、被撮像者の眼を撮像する撮像部１３と、撮像部１３により撮像された眼画像の虹彩領域の輝度分布を解析して、輝度分布情報を生成する輝度分布解析部１９と、輝度分布情報に基づいて、撮像用の照明１２の明るさ、及び／又は、撮像部１３の設定パラメータを調整する調整部２０と、を備える。これにより、被撮像者の虹彩特性や撮像環境の明るさに応じて、照明の明るさや撮像部の設定パラメータを適切に調整できるため、照明の明るさを最小限に抑制できる。【選択図】図５
2008052510.tif 000002
【特許請求の範囲】
【請求項１】
被撮像者の眼を撮像する撮像部と；
前記撮像部により撮像された眼画像の虹彩領域の輝度分布を解析して、輝度分布情報を生成する輝度分布解析部と；
前記輝度分布情報に基づいて、撮像用の照明の明るさ、及び／又は、前記撮像部の設定パラメータを調整する調整部と；
を備えることを特徴とする、虹彩撮像装置。
【請求項２】
前記輝度分布解析部によって生成された前記輝度分布情報を前記被撮像者の識別情報に対応付けて格納する情報格納部をさらに備え、
前記撮像部により前記被撮像者の眼を再び撮像するに際し、前記調整部は、前記情報格納部に格納されている当該被撮像者に対応する前記輝度分布情報に基づいて、前記照明の明るさ、及び／又は、前記撮像部の設定パラメータを調整することを特徴とする、請求項１に記載の虹彩撮像装置。
【請求項３】
前記輝度分布解析部は、前記撮像部により撮像された眼画像の輝度分布を解析して、前記輝度分布情報を生成し、
前記調整部は、当該輝度分布情報に基づいて、撮像環境の明るさを判断し、当該撮像環境の明るさに応じて、前記照明の明るさ、及び／又は、前記撮像部の設定パラメータを調整することを特徴とする、請求項１または２に記載の虹彩撮像装置。
【請求項４】
請求項１〜３のいずれかに記載の虹彩撮像装置と；
前記撮像部により撮像された登録者又は被認証者の眼画像から、虹彩情報を生成する虹彩情報生成部と；
前記虹彩情報と前記輝度分布情報とを前記登録者の識別情報に対応付けて格納する情報格納部と；
前記虹彩情報生成部により生成された前記被認証者の前記虹彩情報と、前記情報格納部に予め格納されている前記登録者の前記虹彩情報とを照合する照合部と；
を備えることを特徴とする、虹彩認証装置。
【請求項５】
撮像部により被撮像者の眼を撮像する撮像ステップと；
前記撮像部により撮像された眼画像の輝度分布を解析して、輝度分布情報を生成する輝度分布解析ステップと；
前記輝度分布情報に基づいて、撮像用の照明の明るさ、及び／又は、前記撮像部の設定パラメータを調整する調整ステップと；
を含むことを特徴とする、虹彩撮像方法。
【請求項６】
前記輝度分布解析ステップで生成された前記輝度分布情報を前記被撮像者の識別情報に対応付けて情報格納部に格納する情報格納ステップをさらに含み、
前記調整ステップでは、前記撮像部により前記被撮像者の眼を再び撮像するに際し、前記情報格納部に格納されている当該被撮像者に対応する前記輝度分布情報に基づいて、前記照明の明るさ、及び／又は、前記撮像部の設定パラメータを調整することを特徴とする、請求項５に記載の虹彩撮像方法。
【請求項７】
前記輝度分布解析ステップでは、前記撮像部により撮像された眼画像の虹彩領域を解析して、前記輝度分布情報を生成し、
前記調整ステップでは、当該輝度分布情報に基づいて、撮像環境の明るさを判断し、当該撮像環境の明るさに応じて、前記照明の明るさ、及び／又は、前記撮像部の設定パラメータを調整することを特徴とする、請求項５または６に記載の虹彩撮像方法。
【請求項８】
登録時において、撮像部により登録者の眼を撮像する第１撮像ステップと；
前記第１撮像ステップで撮像された前記登録者の眼画像から、虹彩情報を生成する第１虹彩情報生成ステップと；
前記登録者の眼画像の虹彩領域の輝度分布を解析して、第１輝度分布情報を生成する第１輝度分布解析ステップと；
前記虹彩情報と前記第１輝度分布情報とを前記登録者の識別情報に対応付けて情報格納部に格納する情報格納ステップと；
認証時において、前記撮像部により被認証者の眼を撮像するに際し、前記情報格納部に格納されている当該被認証者に対応する前記第１輝度分布情報に基づいて、撮像用の照明の明るさ、及び／又は、前記撮像部の設定パラメータを調整する第１調整ステップと；
当該調整された状態で、前記撮像部により前記被認証者の眼を撮像する第２撮像ステップと；
前記第２撮像ステップで撮像された前記被認証者の眼画像から、虹彩情報を生成する第２虹彩情報生成ステップと；
前記第２虹彩情報生成ステップで生成された前記被認証者の虹彩情報と、前記情報格納部に格納されている前記登録者の虹彩情報とを照合する照合ステップと；
を含むことを特徴とする、虹彩認証方法。
【請求項９】
前記認証時において、前記撮像部により被認証者の眼を撮像するに際し、前記撮像部により撮像された眼画像の輝度分布を解析して、第２輝度分布情報を生成する第２輝度分布解析ステップと；
前記第２輝度分布解析ステップで生成された前記第２輝度分布情報に基づいて、撮像環境の明るさを判断し、当該撮像環境の明るさに応じて、前記第１調整ステップで調整された前記照明の明るさ、及び／又は、前記撮像部の設定パラメータをさらに調整する第２調整ステップと；
を含むことを特徴とする、請求項８に記載の虹彩認証方法。
【請求項１０】
登録時において、撮像部により登録者の眼を撮像する第１撮像ステップと；
前記第１撮像ステップで撮像された前記登録者の眼画像から、虹彩情報を生成する第１虹彩情報生成ステップと；
前記虹彩情報を前記登録者の識別情報に対応付けて情報格納部に格納する情報格納ステップと；
認証時において、前記撮像部により被認証者の眼を撮像するに際し、前記撮像部により撮像された眼画像の輝度分布を解析して、第２輝度分布情報を生成する第２輝度分布解析ステップと；
前記第２輝度分布解析ステップで生成された前記第２輝度分布情報に基づいて、撮像環境の明るさを判断し、当該撮像環境の明るさに応じて、前記照明の明るさ、及び／又は、前記撮像部の設定パラメータを調整する第２調整ステップと；
当該調整された状態で、前記撮像部により前記被認証者の眼を撮像する第２撮像ステップと；
前記第２撮像ステップで撮像された前記被認証者の眼画像から、虹彩情報を生成する第２虹彩情報生成ステップと；
前記第２虹彩情報生成ステップで生成された前記被認証者の虹彩情報と、前記情報格納部に格納されている前記登録者の虹彩情報とを照合する照合ステップと；
を含むことを特徴とする、虹彩認証方法。
【発明の詳細な説明】
【技術分野】
【０００１】
本発明は、虹彩撮像装置、虹彩認証装置、虹彩撮像方法、虹彩認証方法に関する。
【背景技術】
【０００２】
虹彩認証装置は、人間の眼を撮像して得られた虹彩情報を用いて個人認証を行う装置である（例えば、特許文献１，２参照）。図１は、従来の虹彩認証装置１の一構成例である。図１に示すように、虹彩認証装置１は、撮像される登録者／被認証者の眼９（顔）を照らす撮像用の照明２と、当該登録者／被認証者の眼９を撮像するための撮像素子（ＣＣＤ等）からなる撮像部３と、これら照明２及び撮像部３を制御する撮影制御部４と、撮像された眼画像を処理して虹彩コード情報を生成する虹彩処理エンジン５と、登録者の識別情報とともに上記生成された虹彩コード情報を格納する情報格納部６と、操作インターフェース部７（以下“操作Ｉ／Ｆ部７”という。）と、虹彩認証装置１全体を制御する制御部８とを備える。照明２，撮像部３については、用途等に応じて、赤外線帯域を使用したものと可視光帯域を使用したものの両方がある。
【０００３】
図２は、従来の情報格納部６に格納される登録者ごとの情報構成の一例である。この図２の例では、登録者ごとに番号、名前、虹彩コード情報が対応付けされて格納されている。
【０００４】
図３は、図１に示した従来の虹彩認証装置１の動作を示すフローチャートであって、図３Ａは登録手順を、図３Ｂは認証手順を示す。図３Ａに示すように、登録手順においては、まず、登録者が操作Ｉ／Ｆ部７を用いて本人の名前を虹彩認証装置１に入力し（Ｓ１）、登録動作の開始を指示する（Ｓ２）。虹彩認証装置１は、撮像部３により撮像される登録者の顔の画像を用いて眼の検出を行い（Ｓ３）、眼が検出されると、照明２の点灯を開始し（Ｓ４）、この照明２の点灯中に撮像部３によって眼の画像を撮像（Ｓ５）し、この眼画像の撮像後に照明２を消灯する（Ｓ６）。撮像された眼画像は、虹彩処理エンジン５によって画像処理され、個人ごとに固有の虹彩領域の画像に対応した虹彩コード情報（登録者の虹彩の特徴を表すコード情報。以下“虹彩コード”という。）が生成される（Ｓ７）。この結果、虹彩コードが適切に生成されたか否かを判定し（Ｓ８）、虹彩コードが適切に生成された場合には、この虹彩コードが、上記ステップＳ１で入力された登録者の名前情報、及び登録番号とともに、情報格納部６に格納される（Ｓ９）。一方、なんらかの理由によって虹彩コードの生成が失敗した場合には、リトライ処理が行われ、上述した処理（Ｓ３〜Ｓ７）を繰り返す。
【０００５】
また、図３Ｂに示すように、認証手順においては、まず、被認証者が、予め登録した名前又は登録番号等の識別情報を操作Ｉ／Ｆ部７を用いて入力し（Ｓ１１）、認証動作の開始を指示する（Ｓ１２）。虹彩認証装置１は、撮像部３により撮像される被認証者の顔の画像を用いて眼の検出を行い（Ｓ１３）、眼が検出されると、照明２の点灯を開始し（Ｓ１４）、この照明２の点灯中に撮像部３によって眼の画像を撮像（Ｓ１５）し、撮像後に照明２を消灯する（Ｓ１６）。撮像された眼画像は、虹彩処理エンジン５によって画像処理されて、虹彩領域の画像に対応した虹彩コードが生成される（Ｓ１７）。この結果、虹彩コードが適切に生成されたか否かを判定し（Ｓ１８）、なんらかの理由によって虹彩コードの生成が失敗した場合には、リトライ処理が行われ、上述した処理（Ｓ１３〜Ｓ１７）を繰り返す。一方、虹彩コードの生成に成功した場合には、上記ステップＳ１１で入力された名前又は登録番号等の識別情報に対応した登録者の虹彩コードを、情報格納部６から読み出して（Ｓ１９）、上記ステップＳ１７で生成された被認証者の虹彩コードと比較して、双方の虹彩コードが一致するか否かを照合する（Ｓ２０）。この結果、一致する場合には、被認証者が登録者本人であると判定され（Ｓ２１）、一致しない場合には、被認証者が登録者本人でないと判定される（Ｓ２２）。
【０００６】
【特許文献１】特公平５−８４１６６号公報
【特許文献２】特開２００３−３３１２６５号公報
【発明の開示】
【発明が解決しようとする課題】
【０００７】
しかしながら、上記従来の虹彩認証装置１で撮像された眼画像には、次のように、被撮像者ごとの虹彩の個人差や、撮像環境による差が生じるという問題がある。
【０００８】
図４は、撮像された眼画像から虹彩領域Ｓの画素ごとの輝度値の出現頻度の例を示した分布図である。図４（ａ）に示すように、虹彩領域Ｓは、被撮像者の眼における虹彩外周円Ａと瞳孔円Ｂとの間のドーナツ型の領域である。眼画像において、この虹彩領域Ｓの全画素についての輝度の出現頻度を求めたものが、図４（ｂ）の輝度値の分布図である。撮影された虹彩の輝度分布は、同じ明るさの照明で照らされた場合でも、図４（ｂ）に示すように、人種や個人差によって各登録者・被認証者ごとに異なる傾向を示すことが知られている。また、虹彩の輝度が全体的に低い分布を示す場合には、虹彩の特徴が現れにくく、より明るい照明を必要とすることが実験的に確認されている。
【０００９】
さらに、照明に可視光を用いた場合には、輝度分布が低めになるため明るい照明を必要とする東洋系の黒・茶系の眼よりも、輝度分布が高めになるため照明の明るさを必要としない西洋系の青・緑系の眼の方が、より眩しさを感じやすいと一般的に言われている。
【００１０】
また、登録・認証を行う撮像環境（眼画像が撮像される周囲環境）の明るさによっても、得られる眼画像の品質に差が生じる。例えば、周囲が比較的明るい環境で撮像された眼画像では、周辺物の眼への映り込みが多くなるため、比較的明るい照明が必要となるのに対し、周囲が比較的暗い環境で撮像された眼画像では、当該映り込みが少ないため、照明は比較的暗くて済むといった差が生じる。特に、可視光帯域を利用して撮像する装置では、撮像環境が比較的明るい場合には、映り込みによるノイズを低減するために、撮像環境が比較的暗い場合よりも、明るい照明が必要であることが実験によって確認されている。
【００１１】
このように、従来の虹彩撮像方式では、撮影される眼の個人差・人種差、または周囲環境条件を考慮せず、図１の照明２にはどのような条件でも十分とされる最大の明るさの照明が用いられてきた。このため、過剰な光照射を行うことによって、照明に要する消費電力の上昇を招いてしまう場合があり、また、可視光照明を用いた場合には、被撮像者に必要以上の眩しさを感じさせてしまうという問題があった。
【００１２】
そこで、本発明は、上記問題に鑑みてなされたものであり、本発明の目的とするところは、照明に要する消費電力を抑制し、被撮像者の感じる眩しさを低減することが可能な、新規かつ改良された虹彩撮像装置、虹彩認証装置、虹彩撮像方法、虹彩認証方法を提供することにある。
【課題を解決するための手段】
【００１３】
上記課題を解決するために、本発明のある観点によれば、被撮像者の眼を撮像する撮像部と、撮像部により撮像された眼画像の虹彩領域の輝度分布を解析して、輝度分布情報を生成する輝度分布解析部と、輝度分布情報に基づいて、撮像用の照明の明るさ、及び／又は、撮像部の設定パラメータを調整する調整部と、を備えることを特徴とする、虹彩撮像装置が提供される。
【００１４】
かかる構成により、被撮像者の眼を撮像して得られた眼画像を解析して生成した輝度分布情報に応じて、照明の明るさや撮像部の設定パラメータを調整するので、虹彩の輝度分布や撮像環境に応じて、照明の明るさや撮像部の設定パラメータを適切に調整することができる。従って、照明の明るさを必要最小限に調整できるので、照明の消費電力を抑え、被撮像者の感じる眩しさを低減できる。
【００１５】
また、輝度分布解析部によって生成された輝度分布情報を被撮像者の識別情報に対応付けて格納する情報格納部をさらに備え、撮像部により被撮像者の眼を再び撮像するに際し、調整部は、情報格納部に格納されている当該被撮像者に対応する輝度分布情報に基づいて、照明の明るさ、及び／又は、撮像部の設定パラメータを調整するようにしてもよい。これにより、被撮像者の虹彩の輝度分布情報を登録者の識別情報とともに情報格納部に予め登録しておき、再撮像時には、当該被撮像者に対応する輝度分布情報を情報格納部から読み出して、照明の明るさや撮像部の設定パラメータを好適に調整することで、被撮像者の虹彩の特性に応じた適切な品質の眼画像を撮像できる。
【００１６】
また、輝度分布解析部は、撮像部により撮像された眼画像の輝度分布を解析して、輝度分布情報を生成し、調整部は、当該輝度分布情報に基づいて、撮像環境の明るさを判断し、当該撮像環境の明るさに応じて、照明の明るさ、及び／又は、撮像部の設定パラメータを調整するようにしてもよい。これにより、正式な眼画像の撮像前に予め、照明の消灯した状態で撮像した画像を解析して輝度分布情報を求め、この輝度分布情報を用いて撮像環境の明るさを判定し、この撮像環境の明るさに応じて照明の明るさや撮像部のパラメータを調整することで、正式な撮像時には、撮像環境の明るさに応じた適切な品質の眼画像を撮像できる。
【００１７】
また、上記課題を解決するために、本発明の別の観点によれば、上述した虹彩撮像装置と、撮像部により撮像された登録者又は被認証者の眼画像から、虹彩情報を生成する虹彩情報生成部と、虹彩情報と輝度分布情報とを登録者の識別情報に対応付けて格納する情報格納部と、虹彩情報生成部により生成された被認証者の虹彩情報と、情報格納部に予め格納されている登録者の虹彩情報とを照合する照合部と、を備える虹彩認証装置が提供される。
【００１８】
かかる構成により、被認証者の認証時において、情報格納部に登録されている当該被認証者に対応する輝度分布情報を用いて、照明の明るさや撮像部の設定パラメータを適切に調整して、被認証者の虹彩の特性や撮像環境の明るさに応じた適切な眼画像を撮像することができる。従って、照明の明るさを必要最小限に調整できるので、照明の消費電力を抑え、被認証者の感じる眩しさを低減できる。
【００１９】
また、上記課題を解決するために、本発明の別の観点によれば、撮像部により被撮像者の眼を撮像する撮像ステップと、撮像部により撮像された眼画像の輝度分布を解析して、輝度分布情報を生成する輝度分布解析ステップと、輝度分布情報に基づいて、撮像用の照明の明るさ、及び／又は、撮像部の設定パラメータを調整する調整ステップと、を含むことを特徴とする、虹彩撮像方法が提供される。
【００２０】
また、輝度分布解析ステップで生成された輝度分布情報を被撮像者の識別情報に対応付けて情報格納部に格納する情報格納ステップをさらに含み、調整ステップでは、撮像部により被撮像者の眼を再び撮像するに際し、情報格納部に格納されている当該被撮像者に対応する輝度分布情報に基づいて、照明の明るさ、及び／又は、撮像部の設定パラメータを調整するようにしてもよい。
【００２１】
また、輝度分布解析ステップでは、撮像部により撮像された眼画像の虹彩領域を解析して、輝度分布情報を生成し、調整ステップでは、当該輝度分布情報に基づいて、撮像環境の明るさを判断し、当該撮像環境の明るさに応じて、照明の明るさ、及び／又は、撮像部の設定パラメータを調整するようにしてもよい。
【００２２】
また、上記課題を解決するために、本発明の別の観点によれば、登録時において、撮像部により登録者の眼を撮像する第１撮像ステップと、第１撮像ステップで撮像された登録者の眼画像から、虹彩情報を生成する第１虹彩情報生成ステップと、登録者の眼画像の虹彩領域の輝度分布を解析して、第１輝度分布情報を生成する第１輝度分布解析ステップと、虹彩情報と第１輝度分布情報とを登録者の識別情報に対応付けて情報格納部に格納する情報格納ステップと、認証時において、撮像部により被認証者の眼を撮像するに際し、情報格納部に格納されている当該被認証者に対応する第１輝度分布情報に基づいて、撮像用の照明の明るさ、及び／又は、撮像部の設定パラメータを調整する第１調整ステップと、当該調整された状態で、撮像部により被認証者の眼を撮像する第２撮像ステップと、第２撮像ステップで撮像された被認証者の眼画像から、虹彩情報を生成する第２虹彩情報生成ステップと、第２虹彩情報生成ステップで生成された被認証者の虹彩情報と、情報格納部に格納されている登録者の虹彩情報とを照合する照合ステップと、を含むことを特徴とする、虹彩認証方法が提供される。
【００２３】
また、認証時において、撮像部により被認証者の眼を撮像するに際し、撮像部により撮像された眼画像の輝度分布を解析して、第２輝度分布情報を生成する第２輝度分布解析ステップと、第２輝度分布解析ステップで生成された第２輝度分布情報に基づいて、撮像環境の明るさを判断し、当該撮像環境の明るさに応じて、第１調整ステップで調整された照明の明るさ、及び／又は、撮像部の設定パラメータをさらに調整する第２調整ステップと、を含むようにしてもよい。
【００２４】
また、上記課題を解決するために、本発明の別の観点によれば、登録時において、撮像部により登録者の眼を撮像する第１撮像ステップと、第１撮像ステップで撮像された登録者の眼画像から、虹彩情報を生成する第１虹彩情報生成ステップと、虹彩情報を登録者の識別情報に対応付けて情報格納部に格納する情報格納ステップと、認証時において、撮像部により被認証者の眼を撮像するに際し、撮像部により撮像された眼画像の輝度分布を解析して、第２輝度分布情報を生成する第２輝度分布解析ステップと、第２輝度分布解析ステップで生成された第２輝度分布情報に基づいて、撮像環境の明るさを判断し、当該撮像環境の明るさに応じて、照明の明るさ、及び／又は、撮像部の設定パラメータを調整する第２調整ステップと、当該調整された状態で、撮像部により被認証者の眼を撮像する第２撮像ステップと、第２撮像ステップで撮像された被認証者の眼画像から、虹彩情報を生成する第２虹彩情報生成ステップと、第２虹彩情報生成ステップで生成された被認証者の虹彩情報と、情報格納部に格納されている登録者の虹彩情報とを照合する照合ステップと、を含むことを特徴とする、虹彩認証方法が提供される。
【発明の効果】
【００２５】
以上説明したように本発明によれば、被撮像者の眼画像の輝度分布に応じて照明の明るさを必要最小限に調整できるので、照明に要する消費電力を抑制し、被撮像者の感じる眩しさを低減することができる。
【発明を実施するための最良の形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
なお、以下では、本発明の虹彩撮像装置及び虹彩撮像方法を、個人認証を行うための虹彩認証装置及び虹彩認証方法に適用する例について説明するが、本発明はかかる例に限定されるものではない。
【００２８】
（第１の実施形態）
まず、図５を参照して、本発明の第１の実施形態にかかる虹彩認証装置１０について説明する。図５は、本実施形態にかかる虹彩認証装置１０の構成を示すブロック図である。
【００２９】
図５に示すように、本実施形態にかかる虹彩認証装置１０は、撮像用の照明１２と、撮像部１３と、撮影制御部１４と、虹彩処理エンジン１５と、情報格納部１６と、操作インターフェース部１７（以下、“操作Ｉ／Ｆ部１７”）と、制御部１８と、輝度分布制御部１９と、調整部２０とを備える。このように、本実施形態にかかる虹彩認証装置１０は、輝度分布解析部１９と調整部２０が追加されている点で、従来の装置（図１参照。）と異なる。
【００３０】
照明１２は、撮像部１３により被撮像者（登録者／被認証者）の眼９を撮像するための照明であり、被撮像者の顔を照明する。撮像部１３は、登録者／被認証者の眼９を撮像するための装置である。この撮像部１３は、例えば、各種レンズからなる光学系と、レンズ駆動部と、光学系から入射された光を光電変換する撮像素子（ＣＣＤ等）と、撮像素子から出力された画像に所定の画像処理（例えば、ホワイトバランス調整、ゲイン調整、ガンマ補正等）を施す画像処理部とから構成される。なお、これらの照明１２，撮像部１３は、用途等に応じて、赤外線帯域の光を利用するものであってもよいし、可視光帯域の光を利用するものであってもよいが、以下では、照明１２から可視光を照射して被撮像者の眼９を照明し、これを撮像部１３で撮像して眼画像を得る例について説明する。
【００３１】
撮影制御部１４は、これらの照明１２及び撮像部１３の動作を制御する。例えば、撮影制御部１４は、制御部１８または調整部２０からの指示に基づいて、照明１２の明るさを増減したり、撮像部１３の設定パラメータ（例えば、アイリス、フォーカス、シャッター速度、ホワイトバランス、ゲイン等のカメラ特性を定めるパラメータ）を変更したりできる。撮影制御部１４は、撮像部１３から得られた眼画像を、虹彩処理エンジン１５及び輝度分布解析部１９に出力する。
【００３２】
虹彩処理エンジン１５は、虹彩情報生成部１５１と、データ管理部１５３と、照合部１５５とを備える。
【００３３】
虹彩情報生成部１５１は、撮像部１３により撮像された眼画像を画像処理して、虹彩領域Ｓ（図４参照。）の特徴を抽出し、虹彩情報を生成する。この虹彩情報は、被撮像者の眼の虹彩領域Ｓの特徴を表すデータであり、かかる虹彩情報により個人を識別（生体認証）することができる。この虹彩情報の生成は、公知の任意の手法を利用することができ、ここでは詳細説明を省略する。本実施形態では、この虹彩情報として、虹彩画像の特徴データをコード化した虹彩コード情報（以下“虹彩コード”という。）を利用するが、本発明はかかる例に限定されず、例えば、虹彩領域Ｓの画像そのものを虹彩情報としてもよい。
【００３４】
データ管理部１５３は、情報格納部１６を利用して、虹彩認証に必要な各種の登録情報（登録者の名前、登録番号、虹彩コード、輝度分布等）を登録者ごとに管理する。具体的には、データ管理部１５３は、登録時には、虹彩情報生成部１５１により生成された登録者の虹彩コードを、登録者の識別情報（名前、登録番号等）に対応付けて、登録者ごとに情報格納部１６に書き込んで登録する。また、データ管理部１５３は、認証時には、情報格納部１６に格納されている虹彩コードの中から、被認証者が操作Ｉ／Ｆ部１７を用いて指定した登録者の識別情報に対応する虹彩コードを読み出す。
【００３５】
照合部１５５は、認証時に、上記虹彩情報生成部１５１により生成された被認証者の虹彩コードと、当該被認証者の指定に基づき情報格納部１６から読み出された登録者の虹彩コードとを照合して、両方の虹彩コードが一致するか否かを判定する。これにより、撮像された被認証者が、登録者本人であるか否かを認証できる。
【００３６】
情報格納部１６は、例えば、フラッシュメモリ等の不揮発性メモリや、ハードディスクドライブ等の記憶装置で構成される。この情報格納部１６は、上記虹彩認証に必要な各種の登録情報を登録者ごとに格納する。具体的には、図６に示すように、情報格納部１６には、登録情報として、登録者の名前、登録番号、虹彩コード、輝度分布情報が対応付けて格納される。このように、本実施形態にかかる登録情報は、名前、登録番号、虹彩コード以外に、輝度分布情報が追加されている点で、従来の方式（図２参照）と異なる。なお、登録番号は、データ管理部１５３が自動的に（例えばシーケンシャルに）付与してもよいし、或いは、登録者が手動で設定してもよい。また、輝度分布情報は、後述の輝度分布解析部１９により生成される情報である。なお、本実施形態では、登録者の識別情報として、名前、登録番号を用いているが、かかる例に限定されず。登録者を識別可能な情報であれば、例えば、登録者単位で固有に付与されるＩＤ等であってもよい。
【００３７】
操作Ｉ／Ｆ部１７は、登録者／被認証者がデータを入力するための入力装置であり、例えば、各種のボタン、キーボード、マウス、タッチパネル等で構成される。登録者／被認証者は、かかる操作Ｉ／Ｆ部１７を操作することで、自身の名前等を入力したり、虹彩認証装置１０の動作を指示したりできる。また、制御部１８は、マイクロコントローラ等で構成され、虹彩認証装置１０全体を制御する。
【００３８】
輝度分布解析部１９は、撮像部１３により撮像された眼画像の虹彩領域Ｓの輝度分布を解析して、当該輝度分布の解析結果である輝度分布情報（第１輝度分布情報）を生成する。例えば、輝度分布解析部１９は、眼画像における虹彩領域Ｓの全画素についての輝度値をそれそれ求め、この全輝度値の平均値、分散、又は中央値などを求めて、これらの輝度平均値、輝度分散または輝度中央値を輝度分布情報とすることができる。登録時には、この輝度分布情報は、輝度分布解析部１９から虹彩処理エンジン１５に出力されて、上記データ管理部１５３により、登録情報として虹彩データ等とともに情報格納部１６に格納される。また、認証時には、この輝度分布情報が、輝度分布解析部１９から調整部２０に直接出力されて、照明１２の明るさ調整等の基準情報として使用されてもよい。
【００３９】
調整部２０は、輝度分布情報に基づいて、撮像用の照明１２の明るさを調整する。具体的には、認証時において、調整部２０は、撮像される被認証者に対応する輝度分布情報を情報格納部１６から読み出して、照明１２の明るさを当該輝度分布情報に応じた明るさに設定する。これにより、例えば、被認証者の眼が、虹彩輝度分布が比較的低いため明るい照明を必要とする東洋系の黒・茶系の眼である場合には、調整部２０は、照明１２を比較的明るくし、一方、虹彩輝度分布が比較的高いため明るい照明を必要としない西洋系の青・緑系の眼である場合には、照明１２を比較的暗くすることができる。また、同一人種間であっても、虹彩輝度分布に個人差がある場合には、調整部２０は、被認証者の虹彩輝度分布が高い場合には、照明１２を比較的暗くし、一方、被認証者の虹彩輝度分布が低い場合には、照明１２を比較的明るくする。このように、調整部２０は、情報格納部１６に登録された虹彩輝度情報に基づき、照明１２の明るさを虹彩輝度分布の人種差／個人差に応じた適切な明るさに調整できる。
【００４０】
ここで、図７を参照して、上記虹彩輝度分布に応じた照明１２の明るさ調整の具体例について説明する。図７は、個人ごとの眼の輝度分布の具体例を示すグラフであり、撮像された眼画像において各輝度の画素数をカウントした結果を表している。この図７では、輝度の低い人（平均９０）、高い人（平均１６５）、中間の人（平均１２５）の３名についてそれぞれの輝度平均と、その輝度に合った照明１２の光強度の例を示している。なお、光強度は、照明１２による放射照度［μｗ／ｃｍ２］なる単位で表されるが、実際の照明１２の制御は、照明１２を構成するＬＥＤの駆動電流［ｍＡ］を制御しているので、図７には、この駆動電流についても併記してある。なお、必要な光強度、駆動電流はともに、図示の例に限定されず、撮像部１３（カメラ）や照明１２（ＬＥＤ）の特性に応じて異なる値に設定可能である。
【００４１】
図７に示すように、輝度平均値と適切な光強度とは、ほぼ反比例するように調整されている。つまり、撮像された眼画像の輝度平均が高い場合には、照射される光強度が小さくなる（照明１２を暗くする）ように調整し、一方、輝度平均が低い場合には、照射される光強度が大きくさくなる（照明１２を明るくする）ように調整している。この図７のように、実際に多数の人の眼の輝度測定と虹彩認証を行い、その結果から、平均輝度ごとに虹彩認証精度が最も高くなる適切な光強度を求めることができる。これにより、各個人の眼の輝度分布に応じて虹彩模様が最も見えやすくなる光強度、即ち、照明１２の明るさに調整して撮像できるため、虹彩認証の精度を向上することができる。
【００４２】
なお、本実施形態では、調整部２０は、輝度分布情報に基づいて照明１２の明るさを調整するようになっているが、かかる例に限定されない。例えば、調整部２０は、上記情報格納部１６から読み出した輝度分布情報に基づいて、撮像部１３の設定パラメータ（例えば、シャッタースピード、ホワイトバランス、ゲイン等のカメラ特性）を調整するようにしてもよい。これによっても、照明１２を過度に明るくすることなく、被認証者の虹彩輝度分布に応じた適切な輝度の眼画像を撮像できるようになる。
【００４３】
次に、図８を参照して、本実施形態にかかる虹彩認証装置１０を用いた虹彩認証方法について説明する。図８は、図５に示した本実施形態にかかる虹彩認証装置１０の動作を示すフローチャートであって、図８Ａは登録手順を、図８Ｂは認証手順を示す。
【００４４】
図８Ａに示すように、登録手順においては、まず、登録者が操作Ｉ／Ｆ部１７を用いて本人の名前を虹彩認証装置１０に入力し（Ｓ１０１）、登録動作の開始を指示する（Ｓ１０２）。虹彩認証装置１０は、撮像部１３により撮像される登録者の顔の画像を用いて眼の検出を行い（Ｓ１０３）、眼が検出されると、照明１２の点灯を開始する（Ｓ１０４）。このときの照明１２の明るさは、撮影制御部１４によって、従来の方式と同程度の、予め設定された所定の標準的明るさに設定される。この照明１２の点灯中に撮像部１３によって登録者の眼画像を撮像し（Ｓ１０５：第１撮像ステップ）、この眼画像の撮像後に照明１２を消灯する（Ｓ１０６）。
【００４５】
次いで、虹彩処理エンジン１５の虹彩情報生成部１５１によって、上記撮像された眼画像を画像処理して、登録者の虹彩領域Ｓの画像に対応した虹彩コード（登録者の虹彩の特徴を表すコード情報）が生成される（Ｓ１０７：第１虹彩情報生成ステップ）。そして、虹彩情報生成部１５１は、虹彩コードが適切に生成されたか否かを判定し（Ｓ１０８）、この結果、なんらかの理由によって虹彩コードの生成が失敗した場合には、リトライ処理が行われ、上述した処理（Ｓ１０３〜Ｓ１０７）を繰り返す。
【００４６】
一方、虹彩コード情報が適切に生成された場合には、ステップＳ１０９に進み、輝度分布解析部１９によって、上記ステップＳ１０５で撮像された眼画像の虹彩領域Ｓの輝度分布が解析され、登録者の虹彩に対応した輝度分布情報（第１輝度分布情報）が生成される（Ｓ１０９：第１輝度分布解析ステップ）。この輝度分布情報の例としては、虹彩領域Ｓの全画素の輝度値についての平均値・分散・中央値等があげられる。その後、データ管理部１５３によって、この輝度分布情報と、上記ステップＳ１０７で生成された虹彩コードと、上記ステップＳ１０１で入力された登録者の名前と、例えば自動付与された登録番号とが対応付けられて、登録情報として情報格納部１６に格納される（Ｓ１１０：情報格納ステップ）。
【００４７】
また、図８Ｂに示すように、認証手順においては、まず、被認証者が、予め登録した名前又は登録番号等の識別情報を操作Ｉ／Ｆ部１７を用いて入力し（Ｓ１１２）、認証動作の開始を指示する（Ｓ１１４）。
【００４８】
すると、虹彩認証装置１０の調整部２０は、上記入力された名前等の識別情報に基づいて情報格納部１６内のデータを検索して、当該被認証者に対応する輝度分布情報を情報格納部１６から読み出して、照明１２の明るさを当該輝度分布情報に合った明るさに設定する（Ｓ１１６：第１調整ステップ）。ここで設定される照明１２の明るさの調整手法としては、例えば、輝度分布情報として輝度平均値が格納されている場合には、標準的な輝度平均値と、格納された輝度平均値との差分を取り、その差分に応じて標準的な明るさを増減させる方法があげられる。例えば、格納されている平均輝度値が標準的な輝度値よりも大きい場合には、照明１２の明るさを両者の差分に応じた量だけ暗くし、一方、格納されている平均輝度値が標準的な輝度値よりも小さい場合には、照明１２の明るさを両者の差分に応じた量だけ明るくする。このように本ステップＳ１１６では、登録時に格納された認証者の輝度分布情報に応じて、照明１２の明るさが、撮像される被認証者の虹彩の輝度分布に応じた適切な明るさに設定される。
【００４９】
次いで、撮像部１３により撮像される被認証者の顔の画像を用いて眼の検出を行い（Ｓ１１８）、眼が検出されると、調整部２０からの指示を受けた撮影制御部１４が、上記ステップＳ１１６で設定された明るさで照明１２の点灯を開始し（Ｓ１２０）、この照明１２の点灯中に撮像部１３によって、被認証者の眼の画像を撮像する（Ｓ１２２：第２撮像ステップ）。この撮像時には、上述したステップＳ１１６により照明１２の明るさが被認証者の虹彩の輝度分布に応じた適切な明るさに設定されているので、必要以上に明るい照明１２で被認証者に眩しさを感じさせることなく、虹彩認証を行うために適切な輝度の眼画像を撮像できる。そして、かかる眼画像の撮像後に照明１２を消灯する（Ｓ１２４）。
【００５０】
次いで、虹彩処理エンジン１５の虹彩情報生成部１５１によって、上記撮像された眼画像を画像処理して、被認証者の虹彩領域Ｓの画像に対応した虹彩コードが生成される（Ｓ１２６：第２虹彩情報生成ステップ）。そして、虹彩情報生成部１５１は、虹彩コードが適切に生成されたか否かを判定し（Ｓ１２８）、この結果、なんらかの理由によって虹彩コードの生成が失敗した場合には、リトライ処理が行われ、上述した処理（Ｓ１１８〜Ｓ１２６）を繰り返す。
【００５１】
一方、虹彩コードの生成に成功した場合には、虹彩処理エンジン１５の照合部１５５は、上記ステップＳ１１２で入力された名前又は登録番号等の識別情報に対応した登録者の虹彩コードを、情報格納部１６から読み出し（Ｓ１３０）、この登録者の虹彩コードと、上記ステップＳ１２６で生成された被認証者の虹彩コードとを比較して、双方の虹彩コードが一致するか否かを照合する（Ｓ１３２：照合ステップ）。この結果、一致する場合には、被認証者が登録者本人であると判定され（Ｓ１３４）、一致しない場合には、被認証者が登録者本人でないと判定される（Ｓ１３６）。
【００５２】
なお、以上の図８Ｂの認証フローでは、虹彩認証用の眼画像を撮像する際に、ステップＳ１１６にて照明１２の明るさを調整する例について説明したが、本発明はかかる例に限定されない。例えば、調整部２０は、各被認証者の虹彩領域Ｓの輝度分布情報に応じて、撮影部１３の設定パラメータ（例えば、シャッター速度、ホワイトバランス、ゲイン等）を調整して、撮影される眼画像の品質を向上させることも可能である。
【００５３】
具体例をあげて説明すると、被認証者の眼の輝度値が基準輝度よりも低い場合は、明るさを補うために、例えば、ゲインを数１０％程度上げる、ホワイトバランスの赤強度を数１０％程度上げる、或いは、シャッター開放時間および照明照射時間を数１０％程度長くすることで調整可能である。逆に、輝度値が基準輝度よりも高い場合には、例えば、上記ゲイン、ホワイトバランスの赤強度、シャッター開放時間および照明１２の照射時間の数値を数１０％程度下げることで調整可能である。なお、上記で輝度値が低い場合に、ホワイトバランスの赤強度を上げるのは、虹彩は赤色成分が最も良く見えるので、当該赤強度を上げることで虹彩部分が多少明るくなるからである。
【００５４】
以上のように、本発明の第１の実施形態によれば、登録時に登録者の虹彩の特性を虹彩コードとして記録しておき、認証時にその特性に合った最小限の明るさの照明１２を用いて撮像して、虹彩認証をするために適切な品質の眼画像を得ることが可能となる。一般的な運用では、登録処理は初回の１回だけ行われるのに対して、その後の認証処理は継続的に複数回行われるため、全体として照明１２の消費電力を削減することが可能となる。さらに、照明１２が可視光の場合には、認証時に被認証者の感じる眩しさを低減することも可能となる。
【００５５】
（第２の実施形態）
次に、本発明の第２の実施形態にかかる虹彩認証装置１０と、これを用いた虹彩認証方法について説明する。
【００５６】
第２の実施形態にかかる虹彩認証装置１０は、上述した第１の実施形態にかかる虹彩認証装置１０（図５参照。）と比べて、次の点を除いては、略同一の機能構成を有するので、詳細説明は省略する。
【００５７】
第２の実施形態にかかる虹彩認証装置１０では、輝度分布解析部１９は、上記第１の実施形態の機能に加え、照明１２の消灯中に撮像部１３により撮像された眼画像を解析して、輝度分布情報を生成するようになっている。さらに、調整部２０は、上記第１の実施形態の機能に加え、当該照明１２の消灯中に得られた輝度分布情報に基づいて撮像環境（撮像が行われるときの周囲環境）の明るさを判断し、当該撮像環境の明るさに応じて、照明１２の明るさを調整するようになっている。
【００５８】
詳細には、輝度分布解析部１９は、認証時において、照明１２点灯前で被認証者の顔に照明１２が照らされていない状態で撮像部１３により撮像された眼画像の虹彩領域Ｓの輝度分布を解析して、輝度分布情報（第２輝度分布情報）を生成する。この第２輝度分布情報としては、上述した登録時に生成される第１輝度分布情報と同様に、例えば、眼画像の虹彩領域Ｓ等における全画素の輝度値の平均値や、分散、中央値などを利用できる。
【００５９】
また、調整部２０は、認証時において、上記輝度分布解析部１９から入力された第２輝度分布情報に基づいて、撮像環境の明るさを判断し、この判断の結果、当該撮像環境が明るいと判断した場合、周辺物の眼への映り込みが多いため、照明１２を比較的明るくし、一方、当該撮像環境が暗いと判断した場合、周辺物の眼への映り込みが少ないため、照明１２を比較的暗くするように調整する。
【００６０】
より詳細には、認証時において、照明１２が消灯した状態で撮像部１３により撮像された眼画像を、上記輝度分布解析部１９により解析して第２輝度分布情報を求めることで、この第２輝度分布情報は、撮像環境の明るさを反映したものとなる。例えば、屋外夜間や暗い室内などといった比較的暗い撮像環境で撮像した場合には、暗い眼画像を解析して得られた第２輝度分布情報（例えば輝度平均値）は比較的小さい値となり、一方、屋外日中や明るい室内などといった比較的明るい撮像環境で撮像した場合には、明るい眼画像を解析して得られた第２輝度分布情報（例えば輝度平均値）は比較的大きい値となる。よって、調整部２０は、認証時の撮像環境下で撮像された眼画像から生成された第２輝度分布情報に基づいて、撮像環境の明るさを判断し、当該撮像環境の明るさに応じて、その後に虹彩認証用の眼画像を撮像する時の照明１２の明るさを、適切な明るさに調整することができる。
【００６１】
なお、上記のような第２輝度分布情報を用いた撮像環境の明るさの判断は、眼画像内の虹彩領域Ｓの輝度分布の解析による他にも、例えば強膜領域（白目部分）の輝度分布の解析によって実現可能である。
【００６２】
次に、図９を参照して、第２の実施形態にかかる虹彩認証装置１０を用いた虹彩認証方法について説明する。図９は、上記第２の実施形態にかかる虹彩認証装置１０の認証手順の動作を示すフローチャートである。なお、第２の実施形態にかかる登録手順は、上述した第１の実施形態にかかる登録手順（図８Ａ参照）と略同一であるので、詳細説明は省略する。
【００６３】
また、図９に示すように、第２の実施形態にかかる認証手順においては、まず、被認証者が、予め登録した名前又は登録番号等の識別情報を操作Ｉ／Ｆ部１７を用いて入力し（Ｓ２１２）、認証動作の開始を指示する（Ｓ２１４）。
【００６４】
すると、虹彩認証装置１０の調整部２０は、上記入力された名前等の識別情報に基づいて情報格納部１６内のデータを検索して、当該被認証者に対応する輝度分布情報（第１輝度分布情報）を情報格納部１６から読み出して、照明１２の明るさを当該第１輝度分布情報に合った明るさに設定する（Ｓ２１６：第１調整ステップ）。この第１調整ステップでの照明１２の明るさの調整手法は、上記手法と同様とすることができる（図８ＢのステップＳ１１６参照。）。このように本ステップＳ２１６では、登録時に格納された認証者の第１輝度分布情報に応じて、照明１２の明るさが、撮像される被認証者の虹彩の輝度分布に応じた適切な明るさに設定される。
【００６５】
次いで、撮像部１３により撮像される被認証者の顔の画像を用いて眼の検出を行う（Ｓ２１８）。このように、照明１２の点灯前であっても、撮像部１３により被認証者の顔が継続的に撮像されており、虹彩エンジン１５は、この継続的に撮像される画像内に眼が存在する否かを検出し、存在する場合にはその眼の位置を検出する。
【００６６】
このようにして、照明消灯中の画像から眼が検出されると、輝度分布解析部１９は、当該検出に用いられた眼画像の輝度分布を解析して第２輝度分布情報を生成し、さらに、調整部２０は、この第２輝度分布情報に基づいて、現在の撮像環境の明るさがどの程度であり、被認証者の眼への周辺物の映り込みがどの程度であるかを判断して、その判断結果に応じて、上記ステップＳ２１６で設定された照明１２の明るさの設定値を増減させる（Ｓ２２０：第２調整ステップ）。例えば、第２輝度分布情報が標準的な輝度分布との差分を検出し、基準となる明るさよりも撮像環境が明るいため、眼への周辺物の映り込みが多くなると判断した場合には、上記設定された照明１２の明るさ設定値を増加させ、一方、基準となる明るさよりも撮像環境が暗いため、眼への周辺物の映り込みが少なくなると判断した場合には、上記設定された照明１２の明るさ設定値を減少させる。このようにして、認証者の虹彩の特性のみならず、撮像環境の明るさをも考慮して、照明１２の明るさを、所望画質の眼画像の撮像に必要な必要最小限の適切な明るさに再調整できる。
【００６７】
その後、調整部２０からの指示を受けた撮影制御部１４が、上記ステップＳ２２０で再調整された明るさで照明１２の点灯を開始し（Ｓ２２１）、この照明１２の点灯中に撮像部１３によって、被認証者の眼の画像を撮像する（Ｓ２２２：第２撮像ステップ）。この撮像時には、上述したステップＳ２１６及びＳ２２０により、照明１２の明るさが、被認証者の虹彩の輝度分布、及び、現在の撮像環境の明るさに応じた適切な明るさに設定されているので、必要以上に明るい照明１２で被認証者に眩しさを感じさせることなく、虹彩認証を行うために適切な輝度の眼画像を撮像できる。そして、かかる眼画像の撮像後に照明１２を消灯する（Ｓ２２４）。
【００６８】
次いで、虹彩処理エンジン１５の虹彩情報生成部１５１によって、上記ステップＳ２２２で撮像された眼画像を画像処理して、被認証者の虹彩領域Ｓの画像に対応した虹彩コードが生成される（Ｓ２２６：第２虹彩情報生成ステップ）。そして、虹彩情報生成部１５１は、虹彩コードが適切に生成されたか否かを判定し（Ｓ２２８）、この結果、なんらかの理由によって虹彩コードの生成が失敗した場合には、リトライ処理が行われ、上述した処理（Ｓ２１８〜Ｓ２２６）を繰り返す。
【００６９】
一方、虹彩コードの生成に成功した場合には、虹彩処理エンジン１５の照合部１５５は、上記ステップＳ２１２で入力された名前又は登録番号等の識別情報に対応した登録者の虹彩コードを、情報格納部１６から読み出し（Ｓ２３０）、この登録者の虹彩コードと、上記ステップＳ２２６で生成された被認証者の虹彩コードとを比較して、双方の虹彩コードが一致するか否かを照合する（Ｓ２３２：照合ステップ）。この結果、一致する場合には、被認証者が登録者本人であると判定され（Ｓ２３４）、一致しない場合には、被認証者が登録者本人でないと判定される（Ｓ２３６）。
【００７０】
なお、以上の図９の認証フローでは、虹彩認証用の眼画像を撮像する際に、ステップＳ２１６及びＳ２２０にて照明１２の明るさを調整する例について説明したが、本発明はかかる例に限定されない。例えば、調整部２０は、各被認証者の眼画像の輝度分布情報に応じて、撮影部１３の設定パラメータ（例えば、シャッター速度、ホワイトバランス、ゲイン等）を調整して、撮影される眼画像の品質を向上させることも可能である。この設定パラメータ調整の具体的手法は上述した通りであるので、詳細説明は省略する。
【００７１】
以上のように、本発明の第２の実施形態によれば、認証時に、認証者の虹彩の特性のみならず、認証時点での撮像環境の明るさにも合った最小限の明るさの照明１２を用いて撮像して、虹彩認証をするために適切な品質の眼画像を得ることが可能となる。従って、認証時の照明１２に要する消費電力を更に削減することが可能となるとともに、照明１２が可視光の場合には、認証時に被認証者の感じる眩しさを低減することも可能となる。
【００７２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７３】
例えば、上記実施形態では、本発明の虹彩撮像装置及び虹彩撮像方法を、個人認証を行うための虹彩認証装置及び虹彩認証方法に適用する例について説明したが、本発明はかかる例に限定されない。本発明の虹彩撮像装置及び虹彩撮像方法は、過去に撮像した眼画像の虹彩領域の輝度分布情報を利用して、照明の明るさや撮像部の設定パラメータを調整するものであれば、多種多様な撮像装置及び撮像方法に適用可能であり、例えば、医療診断等を目的とした虹彩撮像装置及び虹彩撮像方法にも適用可能である。
【００７４】
また、上記第２の実施形態では、第１輝度分布情報に基づく虹彩の個人差等に応じた照明１２の調整（第１調整ステップＳ２１６）と、第２輝度分布情報に基づく撮像環境の明るさに応じた照明１２の調整（第２調整ステップＳ２１６）とを組合せた動作例を説明したが、本発明はかかる例に限定されない。例えば、第１調整ステップＳ２１６を省略し、第２調整ステップＳ２２０を単独で実施することも勿論可能である。
【００７５】
また、上記第２の実施形態では、照明１２の消灯中に撮像部１３により撮像した眼画像の輝度分布を解析して第２輝度分布情報を生成し（Ｓ２１９）、この第２輝度分布情報に基づいて撮像環境の明るさを判断して、照明１２の明るさを調整した（Ｓ２２０）が、本発明はかかる例に限定されない。例えば、照明１２の点灯中に撮像部１３により撮像した眼画像の輝度分布を解析して第２輝度分布情報を生成し、撮像環境の明るさを判断することもできる。この場合、第２輝度分布情報が表す「明るさ」は、「撮像環境の明るさ」に、「照明１２による明るさ」を加算したものになるが、この加算分を減算すれば「撮像環境の明るさ」を判断することが可能である。
【図面の簡単な説明】
【００７６】
【図１】従来の虹彩認証装置の構成を示すブロック図である。
【図２】従来の情報格納部に格納される登録情報を示す説明図である。
【図３Ａ】従来の虹彩認証装置における登録手順を示すフローチャートである。
【図３Ｂ】従来の虹彩認証装置における認証手順を示すフローチャートである。
【図４】撮像された眼画像における虹彩領域の輝度分布例を示した分布図である。
【図５】本発明の第１の実施形態にかかる虹彩認証装置の構成を示すブロック図である。
【図６】同実施形態にかかる情報格納部に格納される登録情報を示す説明図である。
【図７】同実施形態にかかる個人ごとの眼の輝度分布の具体例を示すグラフである。
【図８Ａ】同実施形態にかかる虹彩認証装置における登録手順を示すフローチャートである。
【図８Ｂ】同実施形態にかかる虹彩認証装置における認証手順を示すフローチャートである。
【図９】本発明の第２の実施形態にかかる虹彩認証装置における登録手順を示すフローチャートである。
【符号の説明】
【００７７】
９      眼
１０    虹彩認証装置
１２    照明
１３    撮像部
１４    撮影制御部
１５    虹彩処理エンジン
１６    情報格納部
１７    操作インターフェース部
１８    制御部
１９    輝度分布解析部
２０    調整部
１５１  虹彩情報生成部
１５３  データ管理部
１５５  照合部
Ｓ      虹彩領域
【図１】
2008052510.tif 000003
【図２】
2008052510.tif 000004
【図３Ａ】
2008052510.tif 000005
【図３Ｂ】
2008052510.tif 000006
【図４】
2008052510.tif 000007
【図５】
2008052510.tif 000008
【図６】
2008052510.tif 000009
【図７】
2008052510.tif 000010
【図８Ａ】
2008052510.tif 000011
【図８Ｂ】
2008052510.tif 000012
【図９】
2008052510.tif 000013